(57)【要約】【課題】止水ジョイント内部の水圧を締着部の圧縮力に変換させ、止水性能を向上させることが可能な止水継手の締着部構造を提供する。【解決手段】本発明の止水継手の締着部構造は、弾性変形可能な膨出部と構造物に取り付けるための取付部とからなる止水ジョイント３１と、一方が構造物に埋設され、他方のネジ軸部が構造物から突出するように設けられた締着ネジ１２、２２と、ネジ軸部に挿脱可能に、隣接する構造物側にＬ状段部を有するように設けられ、ネジ軸部に螺合された固定ナット１６で締め付けられたとき、取付部を構造物に押圧して締着する締着板１３、２３と、中間に屈曲部を有し、一方の側が膨出部外周面に当接するように、他方の側が締着板と取付部との間に設けられ、膨出部に内側から荷重がかかったとき、この荷重を締着ネジ体の軸線方向に取付部を圧縮する圧縮力に変換する変換プレート体３２、３２とからなる。【選択図】図２
2011058232.tif 000002
【特許請求の範囲】
【請求項１】
隣接する構造物間に設けられる止水継手の締着部構造であって、
前記構造物の目地を挟む部位間に跨って設けられ、可撓性を有する膨出部と、この膨出部の両側に連続する部位であって前記構造物に取り付けるための取付部とからなる止水ジョイントと、
一方の側が前記構造物に埋設され、他方の側のネジ軸部が前記構造物から突出するように設けられた締着ネジと、
前記締着ネジのネジ軸部に挿脱可能に、隣接する前記構造物側にＬ状段部を有するように設けられ、前記ネジ軸部に螺合された固定ナットで締め付けられたとき、前記止水ジョイントの前記取付部を前記構造物側に押圧して締着する締着板と、
中間に屈曲部を有し、一方の側が前記膨出部外周面に当接するように、他方の側が前記Ｌ状段部と前記取付部との間に設けられ、前記膨出部に内側から荷重がかかったとき、前記荷重を、前記締着ネジの軸線方向に前記取付部を圧縮する圧縮力に変換する変換プレートとからなる
ことを特徴とする止水継手の締着部構造。
【請求項２】
請求項１に記載された止水継手の締着部構造において、
前記止水ジョイントの前記取付部は、下面に、前記締着ネジを挟むように、少なくとも２条の止水凸部が設けられており、
前記圧縮力は、前記膨出部側の前記止水凸部に作用するものである
ことを特徴とする止水継手の締着部構造。
【請求項３】
請求項１又は２に記載された止水継手の締着部構造において、
前記変換プレートは、前記屈曲部又は前記屈曲部近傍を支点とするモーメントが作用するものである
ことを特徴とする止水継手の締着部構造。
【請求項４】
請求項１又は２に記載された止水継手の締着部構造において、
前記締着板と前記変換プレートとの間には、弾性ヒンジ体が一体に設けられ、
前記変換プレートは前記弾性ヒンジ体を支点とするモーメントが作用するものである
ことを特徴とする止水継手の締着部構造。
【請求項５】
請求項１から４のいずれか１項に記載の止水継手の締着部構造において、
前記膨出部は、逆Ｕ字状又はＭ字状に形成されている部位である
ことを特徴とする止水継手の締着部構造。
【発明の詳細な説明】
【技術分野】
【０００１】
本発明は、構造物間に設けられる止水継手の締着部構造に関する。さらに詳しくは、止水継手の締着部構造において、水圧がかかった場合、その水圧を利用して止水性能を向上させた止水継手の締着部構造に関する。
【背景技術】
【０００２】
止水継手の締着部構造として、平型締着板タイプ、放出防止機能付き締着板タイプ、せん断キー付締着板タイプなどと呼ばれているものが知られている。この従来の締着部構造は、ボルト等の締め付け力のみで固定する構造であり、締め付け不足や、クリープ、水圧による締着部の延び（肉痩せ）などにより締め付け力が低下した場合、漏水が発生するおそれが生じていた。又、漏水の事例があったとの指摘もされている。
【０００３】
又、従来の締着部構造では、ボルトの締め付けトルクが低下した場合、増締めを行う必要があるが、現状では保守・点検（メンテナンス）を行う頻度は低い。従って、止水性能を維持できる締め付け力が十分維持されているかは不明であり、継続した水圧や過剰な水圧が作用した場合には、漏水してしまうおそれがあった。
【０００４】
特許文献を参考にして、従来の技術についてさらに説明を行う。
外圧により弾性部材に張力がかかった場合、取付手段の傾斜面と弾性部材の傾斜面とにより、弾性部材の突起を碇着部材の表面に押し付ける押圧力を作用させるようにした暗渠の可撓継手に関する技術が知られている（例えば、特許文献１参照）。
【０００５】
又、固定部材およびワッシャーに、相互間の接触面のコンクリート構造物の内周面からの高さが固定部材の支持部が形成されている端部に向かって漸増するようにそれぞれ勾配が設けられ、可撓止水部材に引張り力が働いても可撓止水部材が固定部材から外れるおそれがないコンクリート構造物用伸縮継手に関する技術が知られている（例えば、特許文献２参照）。
【０００６】
さらに、弾性部材の両端側における取付部が、端部側に向かって徐々に厚みが増す傾斜面を有し、押え金具が当該傾斜面内に配置されている可撓性継手に関する技術が知られている（例えば、特許文献３参照）。又、取付け手段を挟んで構造物の対面側に位置する凸状部の圧縮剛性を、取付け手段の外側に設けた凸状部の圧縮剛性より小さく構成し、外部からの水圧によって取付け部の内側が継手本体側に引き込まれることがない伸縮止水継手に関する技術が知られている（例えば、特許文献４参照）。
【０００７】
そして、弾性シール部材の両端開口部は、締付部材の締め付けにより、筒状体の突合わせ端部と、押圧部材とで挟持され、その抜け出し方向においてストッパ部材に圧接されることにより、弾性シール部材の両端部がすっぽりと抜け落ちたり、剪断したりするおそれのない伸縮性可撓継手に関する技術が知られている（例えば、特許文献５参照）。
【先行技術文献】
【特許文献】
【０００８】
【特許文献１】特許第２５５７３７８号公報
【特許文献２】特許第３０４５９９０号公報
【特許文献３】特開２００２−１０６２９４号公報
【特許文献４】特許第３６６６９１９号公報
【特許文献５】特許第４１８６００３号公報
【発明の概要】
【発明が解決しようとする課題】
【０００９】
しかしながら、この先行文献の技術は、水圧がかかった時に、弾性部材が抜けたり、移動したりしないようにするものにすぎなかった。言い換えると、長期間、継続して使用し、締め付け力低下が発生した場合、漏水の発生など止水性能を低下させる可能性があるという問題点を解決するためのものでなかった。そのため、止水継手の締着部構造において、止水性能の低下をおこさせるおそれがあるクリープ、肉痩せによる締め付け力低下が発生した場合、継続した水圧、過剰な水圧が作用した場合でも、止水性能を維持できる止水継手の締着部構造の開発が要望されていた。
【００１０】
本発明の目的は、止水ジョイント内部の水圧を締着部の圧縮力に変換させ、止水性能を向上させることが可能な止水継手の締着部構造を提供することにある。
【課題を解決するための手段】
【００１１】
本発明は、前述した課題を解決するために、以下の手段をとる。
本発明１の止水継手の締着部構造は、隣接する構造物間に設けられる止水継手の締着部構造であって、前記構造物の目地を挟む部位間に跨って設けられ、可撓性を有する膨出部と、この膨出部の両側に連続する部位であって前記構造物に取り付けるための取付部とからなる止水ジョイントと、一方の側の部位が前記構造物に埋設され、他方の側のネジ軸部が前記構造物から突出するように設けられた締着ネジと、前記締着ネジのネジ軸部に挿脱可能に、隣接する前記構造物側にＬ状段部を有するように設けられ、前記ネジ軸部に螺合された固定ナットで締め付けられたとき、前記止水ジョイントの前記取付部を前記構造物側に押圧して締着する締着板と、中間に屈曲部を有し、一方の側が前記膨出部外周面に当接するように、他方の側が前記Ｌ状段部と前記取付部との間に設けられ、前記膨出部に内側から荷重がかかったとき、前記荷重を、前記締着ネジの軸線方向に前記取付部を圧縮する圧縮力に変換する変換プレートとからなることを特徴とする。
【００１２】
本発明２の止水継手の締着部構造は、本発明１において、前記止水ジョイントの前記取付部は、下面に、前記締着ネジを挟むように、少なくとも２条の止水凸部が設けられており、前記圧縮力は、前記膨出部側の前記止水凸部に作用するものであることを特徴とする。
【００１３】
本発明３の止水継手の締着部構造は、本発明１又は２において、
前記変換プレートは、前記屈曲部又は前記屈曲部近傍を支点とするモーメントが作用するものであることを特徴とする。
【００１４】
本発明４の止水継手の締着部構造は、本発明１又は２において、前記締着板と前記変換プレートとの間には、弾性ヒンジ体が一体に設けられ、前記変換プレートは前記弾性ヒンジ体を支点とするモーメントが作用するものであることを特徴とする。
【００１５】
本発明５の止水継手の締着部構造は、本発明１〜４において、前記膨出部は、逆Ｕ字状又はＭ字状に形成されている部位であることを特徴とする。
【発明の効果】
【００１６】
本発明の止水継手の締着部構造は、止水ジョイントの内部に水圧がかかった場合、その水圧を利用して締着部の圧縮力に変換させ、止水性を向上させることができる。言い換えると、この止水継手の締着部構造は、締着ボルトの締め付けトルクによる圧縮力に加え、水圧を利用した圧縮力を作用させることができ、恒久的に、より安定した止水性能を発揮させることができる。継続した水圧や過剰な水圧が作用した場合においても、漏水してしまうことが生じない。又、この止水継手の締着部構造は、締め付けトルク低下時に行う増締め等の作業が不要であり、メンテナンスの必要が生じない、いわゆるメンテナンスフリーとすることができる。
【図面の簡単な説明】
【００１７】
【図１】本発明の実施の形態の止水継手の締着部構造の斜視図である。
【図２】止水継手の締着部構造を断面で示した断面図である。
【図３】水圧を圧縮力に変換させる状態を、模式的に示した部分断面図である。
【図４】本発明の他の実施の形態の止水継手の締着部構造において、締着部構造の詳細、及び、圧縮力の作用状態を説明するための部分断面図である。
【発明を実施するための形態】
【００１８】
以下、本発明の実施の形態を図面に基づいて説明する。図１は、本発明の実施の形態の止水継手の締着部構造の斜視図、図２は、止水継手の締着部構造の断面図、図３は、この締着部構造の詳細、及び、圧縮力の作用状態を説明するための部分断面図である。
【００１９】
この実施の形態の止水継手の締着部構造１は、コンクリート製の構造物１０とコンクリート製の構造物２０とに跨って設けられている。この止水継手の締着部構造は、樋門、放水路、とう道、共同溝、沈埋トンネル、原子力発電所、上水道など様々な構造物の止水装置として適用可能なものである。
【００２０】
構造物１０、構造物２０の目地１０ａ、２０ａ近傍には、各々、凹部１０ｂ、２０ｂが形成されている。止水継手の締着部構造１は、この凹部１０ｂ、２０ｂに設けられている。構造物１０の凹部１０ｂには、Ｌ字状の締結プレート１１が設けられている。構造物２０の凹部２０ｂには、Ｌ字状の締結プレート２１が設けられている。
【００２１】
構造物１０の凹部１０ｂには、目地１０ａから所定量離れた直線上に、所定の間隔毎に、締着ボルト１２の埋設部１２ａが埋設されている。同様に、構造物２０の凹部２０ｂには、目地２０ａから所定量離れた直線上に、所定の間隔毎に締着ボルト２２の埋設部２２ａが埋設されている。締着ボルト１２、２２は、金属（例えば、ステンレス鋼材、鋼材）製の締着ボルトであり、いわゆるアンカーボルトである。構造物１０の目地１０ａと構造物２０の目地２０ａとの間には、目地材１５が充填されている。
【００２２】
止水ジョイント３１は、可撓性を有し、弾性変形可能なゴム〔例えば、クロロプレン系ゴム（ＣＲ）、エチレンプロピレンゴム（ＥＰＤＭ）〕製で、構造物の不等沈下、伸縮等を吸収するとともに、構造物と止水ジョイントとの間の浸水、漏水を防止するためのものである。止水ジョイント３１は、側面視略Ω型形状、略Ｍ字形状等の形状をしたものである。この実施の形態の止水ジョイント３１は略Ω形状をしたものであり、逆Ｕ字状をし、内部に水圧がかかった場合膨出変形するとともに、水圧がなくなった場合変形前の形状に戻る膨出部３１ａと、膨出部３１ａの両側に、膨出部３１ａに連続するように設けられる部位であって、構造物１０、構造物２０に各々取り付けられる取付部３１ｂ、３１ｂとからなっている。
【００２３】
取付部３１ｂ、３１ｂの端部には凸部３１ｄ、３１ｄが形成されている。凸部３１ｄ、３１ｄは、締結板１３、２３に係止されて、止水ジョイント３１が締結板１３、２３に対して離脱しようとするのを防止するためのものである。止水ジョイント３１の取付部３１ｂの下部には、構造物１０、２０に取付部３１ｂ、３１ｂを取り付けたとき目地１０ａ、２０ａに対して平行になる方向に、２条の止水凸部（止水凸条とも言う）３１ｅ（３１ｅ１、３１ｅ２）が設けられている。そして、この２条の止水凸部３１ｅ（３１ｅ１、３１ｅ２）を圧縮することにより、止水ジョイント３１と構造物１０の締結プレート１１、及び、止水ジョイント３１と構造物２０の締結プレート２１との間の浸水、漏水等を防止する。
【００２４】
取付部３１ｂの止水凸部３１ｅ１、３１ｅ２の間には、所定の間隔毎に、締着ボルト１２、２２のネジ軸部１２ｂ、２２ｂを挿通可能なボルト穴３１ｆ（図３参照）が形成されている。２条の止水凸部３１ｅ１、３１ｅ２の中心に締着ボルト１２、２２が設けられているため、２条の止水凸部３１ｅ１、３１ｅ２を均等に圧縮することができ、締め付けトルク管理が確実にできるようになっている。取付部３１ｂには、補強繊維３１ｃが含芯され、取付部３１ｂの強度を向上させている。なお、図３には、構造物１０側の締着部構造の詳細、圧縮力の作用状態等を図示しているが、構造物２０側にも同一の締着部構造が設けられている（図１、２参照）。すなわち、図２に示すように、この実施の形態の止水継手の締着部構造１は、構造物１０側と構造物２０側とが、左右対称な構成となっている。
【００２５】
締着ボルト１２のネジ軸部１２ｂには、構造物１０側の締結プレート１１との間に、止水ジョイント３１の取付部３１ｂを締着ボルト１２の軸線方向に挟むように締着板１３が設けられている。締着板１３は、金属（例えば、鋼材、ステンレス鋼材、鋳鉄材）製の部材であって、止水ジョイント３１の膨出部３１ａと凸部３１ｄとの間に設けられている。締着板１３のボルト穴１３ｃ（図３参照）に締着ボルト１２のネジ軸部１２ｂが挿通しており、ネジ軸部１２ｂの雄ネジに固定ナット（例えば、六角ナット）１６をねじ込むことにより、締着板１３は、構造物１０及び締結プレート１１に、止水ジョイント３１の構造物１０側の取付部３１ｂを強固に押圧し締着する。締着ボルト１２に対して固定ナット１６を締め付ける締め付けトルクが、２条の止水凸部３１ｅ１、３１ｅ２を締着ボルト１２の軸線方向に圧縮する圧縮力Ｆ１として作用する。締着板１３とナット１６との間にはワッシャが設けられている。
【００２６】
同様に、締着ボルト２２のネジ軸部２２ｂには、構造物２０との間に、止水ジョイント３１の取付部３１ｂを締着ボルト２２の軸線方向に挟むように締着板２３が設けられている（図２参照）。締着板２３は、止水ジョイント３１の膨出部３１ａと凸部３１ｄとの間に設けられている。締着板２３のボルト穴に締着ボルト２２のネジ軸部２２ｂが挿通しており、ネジ軸部２２ｂの雄ネジに固定ナット（例えば、六角ナット）２６をねじ込むことにより、締着板２３は、構造物２０及び締結プレート２１に、止水ジョイント３１の構造物２０側の取付部３１ｂを強固に押圧し締着する。締着ボルト２２に対して固定ナット２６を締め付ける締め付けトルクが、２条の止水凸部を締着ボルト２２の軸線方向に圧縮する圧縮力として作用する。締着板２３とナット２６との間にはワッシャが設けられている。
締着板１３の構造物２０側の下部には、Ｌ状段部１３ａが形成されている。又、締着板２３の構造物１０側の下部には、Ｌ状段部２３ａが形成されている。
【００２７】
止水ジョイント３１の膨出部３１ａの外周側には変換プレート３２が設けられている。この変換プレート３２は、中間（例えば、中央部又は略中央部）に屈曲した部位（屈曲部）３２ｃが形成された側面視「く」字状をしたプレートであって、一方の側の部位３２ｂが膨出部３１ａの外周側に当接するとともに、他方の側の部位３２ａがＬ状段部１３ａと取付部３１ｂとの間、又は、Ｌ状段部２３ａと取付部３１ｂとの間に位置するように設けられている。言い換えると、他方の部位３２ａは、Ｌ状段部１３ａと取付部３１ｂとの間、又は、Ｌ状段部２３ａと取付部３２ｂとの間に、挿入可能に、又は、挟み込むことが可能に設けられている。又、締着板１３の先端斜面部１３ｂが、屈曲部３２ｃ又は屈曲部３２ｃ近傍に当接し、変換プレート３２のモーメント動作のヒンジの支点を形成する（図３参照）。変換プレート３２は、金属（例えば、鋳鉄材、鋼材、ステンレス鋼材）製の部材である。
【００２８】
次に、この実施の形態の止水継手の締着部構造１の作用について説明を行う。
通常、止水ジョイント３１の内部側に水圧Ｐがかかることは少ない。このように水圧Ｐがかかっていない場合、止水ジョイント３１は、締結ボルト１２、２２とナット１６、２６との締め付けトルクにより、構造物１０、２０に締結されている。この場合、止水凸部３１ｅ１、３１ｅ２には、締め付けトルクにより、締着ボルト１２、２２の軸線方向の圧縮力Ｆ１、Ｆ１が作用することになる。
【００２９】
仮に、止水ジョイント３１の内部を流れる水量が増加し、止水ジョイント３１の膨出部３１ａの内部に水圧Ｐがかかった場合、膨出部３１ａが２点鎖線で示した膨出部３１ａ’ように膨出するとともに、変換プレート体３２には、締結板１３の先端斜面部１３ｂをヒンジの支点とするモーメントＭが発生し作用する。このモーメントＭは、膨出部３１ａ側に位置している止水凸部３１ｅ１に、締着ボルト１２の軸線方向の圧縮力Ｆ２を発生するように作用する。言い換えると、水圧Ｐにより、膨出部３１ａに内側から荷重がかかったとき、変換プレート体３２、先端斜面部１３ｂ等の構成を介して、この荷重を締着ボルト１２の軸線方向の圧縮力Ｆ２に変換している。また、大きな水圧Ｐが作用するほど、止水凸部３１ｅ１に大きな圧縮力Ｆ２が発生し作用するようになっている。止水凸部３１ｅ１には、締め付けトルクによる締着ボルト１２の軸線方向の圧縮力Ｆ１に加え、水圧Ｐが変換された締着ボルト１２の軸線方向の圧縮力Ｆ２が作用するため、止水ジョイント３１の内部側の水が構造物１０側に漏水等することがない。
【００３０】
図３に示していないが、構造物２０側に設けられた取付部３１ｂも同様な締着部構造の構成となっている。言い換えると、止水ジョイント３１の膨出部３１ａの内部に水圧Ｐがかかった場合、膨出部３１ａ側の止水凸部３１ｅに、締着ボルト２２に固定ナット２６を締め付ける締め付けトルクによる締着ボルト２２の軸線方向の圧縮力（図３の圧縮力Ｆ１に相当）に加え、水圧Ｐが変換された締着ボルト２２の軸線方向の圧縮力（図３の圧縮力Ｆ２に相当）が作用する同様の作用が生じ、止水ジョイント３１の内部側の水が構造物２０側に漏水等することがない。
このように、水圧がかかり漏水が発生しやすい側の止水凸部に、締め付けトルクによる締着ボルト２２の軸線方向の圧縮力Ｆ１と、水圧Ｐが変換された締着ボルト２２の軸線方向の圧縮力Ｆ２とを作用させることで、止水凸部からの浸水、漏水等が発生することがない。この止水継手の締着部構造は、止水ジョイント３１に継続した水圧や過剰な水圧が作用した場合においても、漏水等を発生させることがなく、恒久的に、より安定した止水性能を発揮させることができる。
【００３１】
〔止水継手の締着部構造の他の実施の形態〕
止水継手の締着部構造の他の実施の形態について説明を行う。
図４は、本発明の他の実施の形態の止水継手の締着部構造を示す図であって、締着部構造の詳細、及び、圧縮力の作用状態を説明するための部分断面図であり、前述した図３の部分断面図に相当する図である。
なお、この他の実施の形態の説明では、前述した実施の形態と同一に部位には同一の符号を付与し詳細な説明を省略している。又、図４には、構造物２０側の締着部構造の詳細、圧縮力の作用状態等を図示していないが、構造物２０側にも同一の構成の締着部構造が設けられている。この他の実施の形態の止水継手の締着部構造は、構造物１０側と構造物２０側とが左右対称な構成となっている。
【００３２】
この止水継手の締着部構造は、Ｌ状段部７３ａ、先端斜面部７３ｂが形成された締着板７３、変換プレート８２との間に、弾性ヒンジ体であるゴム製のヒンジゴム体７４が一体に設けられている。すなわち、締着板７３の先端斜面部７３ｂと変換プレート８２の屈曲部近傍面８２ｃとに、ヒンジゴム体７４が、加硫圧縮成形することで一体に接合されている。締着板７３は、ボルト穴７３ｃに締着ボルト１２のネジ軸部１２ｂが挿通しており、ネジ軸部１２ｂの雄ネジに固定ナット（例えば、六角ナット）１６をねじ込むことにより、締着板７３は、構造物及び締結プレートに、止水ジョイント３１の構造物１０側の取付部３１ｂを強固に押圧し締着する。変換プレート体８２は、中間（例えば、中央部又は略中央部）に屈曲した部位（屈曲部）が形成された側面視「く」字状をしたプレート体であって、一方の側の部位８２ｂが膨出部３１ａの外周側に当接するとともに、他方の側の部位８２ａがＬ状段部７３ａと取付部３１ｂとの間に位置するようになっている。なお、弾性ヒンジ体は、ゴム製の弾性ヒンジ体だけでなく、経年変化、耐久性に優れた弾性材料（例えば、合成樹脂、エラストマー）製のものであってもよい。
【００３３】
このヒンジゴム体７４が、変換プレート８２のモーメント動作におけるヒンジの支点として作用する以外は、前述した形態の止水継手の締着部構造と同じ作用をする。すなわち、止水ジョイント３１の内部を流れる水量が増加し、止水ジョイント３１の膨出部３１ａの内部に水圧Ｐがかかった場合、膨出部３１ａが、２点鎖線で示した膨出部３１ａ’のように膨出するとともに、変換プレート体８２には、ヒンジゴム体７４をヒンジの支点とするモーメントＭが発生し作用する。このモーメントＭは、膨出部３１ａ側に位置している止水凸部３１ｅ１に締着ボルト１２の軸線方向の圧縮力Ｆ２に変換するように作用する。
【００３４】
言い換えると、水圧Ｐにより、膨出部３１ａに内側から荷重がかかったとき、変換プレート体８２、ヒンジゴム体７４等の構成により、この荷重を締着ボルト１２の軸線方向の圧縮力Ｆ２に変換している。又、大きな水圧Ｐが作用するほど、止水凸部３１ｅ１に大きな圧縮力Ｆ２が発生し作用するようになっている。止水凸部３１ｅ１には、締め付けトルクによる締着ボルト１２の軸線方向の圧縮力Ｆ１に加え、水圧Ｐが変換された締着ボルト１２の軸線方向の圧縮力Ｆ２が作用するため、止水ジョイント３１の内部側の水が構造物１０側に漏水等することがない。止水ジョイント３１に継続した水圧や過剰な水圧が作用した場合においても、漏水等を発生させることがない。
【００３５】
この他の実施の形態の止水継手の締着部構造は、図４に示していない構造物２０側に設けられた締着部構造でも、同様な作用、効果を呈している。すなわち、水圧Ｐにより、止水ジョイント３１の膨出部３１ａに内部から荷重がかかった場合、膨出部３１ａ側の止水凸部に、締着ボルト２２に固定ナット２６を締め付ける締め付けトルクによる締着ボルト２２の軸線方向の圧縮力（Ｆ１に相当）に加え、水圧Ｐが変換された締着ボルト２２の軸線方向の圧縮力（Ｆ２に相当）とが作用する構成になっている。
【００３６】
以上、本発明の実施の形態の説明を行ったが、本発明はこの形態に限定されることはない。本発明の目的、趣旨を逸脱しない範囲内での変更が可能なことはいうまでもない。例えば、止水凸部の条数は２条より多くてもよい。
【符号の説明】
【００３７】
１  …  止水継手の締着部構造
１０、２０…構造物
１１、２１…締結プレート
１２、２２…締着ボルト
１３、２３、７３…締着板
１５  …  目地材
１６、２６…固定ナット
３１  …  止水ジョイント
３１ａ…  膨出部
３１ｂ…  取付部
３２、８２…変換プレート
７４  …  弾性ヒンジ体（ヒンジゴム体）
【図１】
2011058232.tif 000003
【図２】
2011058232.tif 000004
【図３】
2011058232.tif 000005
【図４】
2011058232.tif 000006